(57)【特許請求の範囲】
【請求項１】
不透明な容器体Ａの上端にヘッド押下操作式の液体噴出ポンプＢを装着するとともに、容器体内下部に摺動底板３を備え、ポンプ操作による容器体内の液の減少に伴い摺動底板３が上昇する如く構成してなる液体噴出容器に於いて、摺動底板３に一端を連結するとともに、容器体Ａと該容器体外面に嵌着した外筒10との間に目視可能且つスライド可能に延設し、且つ、摺動底板３の上昇に伴い容器体外方に位置する部分が下降する表示板９を設けてなり、上記外筒10が、容器体Ａ下端部に嵌着した底キャップ16の外面に、底壁相互に所定の間隔をあけて嵌着した有底の外筒であり、上記表示板９が、底キャップ底壁20部分に一端を仮止めするとともに、底キャップ周壁19と外筒10との間に目視可能且つスライド可能に延設し、且つ、摺動底板３より突設した突起28を底キャップ底壁20の挿通窓21を介して嵌着してなる嵌合孔29を有する表示板であり、表示板９及び外筒10を予め装着した底キャップ16を容器体Ａに嵌着させた際に、突起28を嵌合孔29に嵌着して表示板９を摺動底板３に引上げ可能に固定してなることを特徴とする液体噴出容器。
【請求項２】
上記外筒10が透明な外筒10a である請求項１記載の液体噴出容器。
【請求項３】
上記外筒10が不透明な外筒10b であり、該不透明な外筒10b に表示板９の下降が認識可能な窓孔12を開口してなる請求項１記載の液体噴出容器。
【発明の詳細な説明】
【０００１】
【発明の属する技術分野】
本発明は液体噴出容器に関する。
【０００２】
【従来の技術】
液体噴出容器として、容器体の上端にヘッド押下操作式の液体噴出ポンプを装着するとともに、容器体内下部に摺動底板を備え、ポンプの操作による容器体内の液の減少に伴い摺動底板が上昇する如く構成してなるものが知られている。また、これらの液体噴出容器では、収納液の紫外線等からの保護を目的として、容器体を不透明に形成したものが知られている。
【０００３】
【発明が解決しようとする課題】
上記の液体噴出容器にあっては、上方付勢されたヘッドの押し下げ操作で容器体内液体が噴出され、その噴出により容器体内の負圧化で摺動底板が上昇してその負圧状態を解消するが、容器体を不透明としているため、摺動底板の位置を容器体を透して見ることができず、そのため容器体内の液体量を知ることが出来なかった。従って摺動底板が上限まで上昇して容器体内液体が無くなっているのにそのことに気づかないことがあった。
【０００４】
本発明は上記した点に鑑みなされたもので、収納液の残量が分かり、その構造も極めて簡単な液体噴出容器を提案するものである。また、収納液の残量を表示する表示板の組み付け操作が容易な液体噴出容器を提案するものである。
【０００５】
【課題を解決するための手段】
第１の手段として、以下の通り構成した。即ち、不透明な容器体Ａの上端にヘッド押下操作式の液体噴出ポンプＢを装着するとともに、容器体内下部に摺動底板３を備え、ポンプ操作による容器体内の液の減少に伴い摺動底板３が上昇する如く構成してなる液体噴出容器に於いて、摺動底板３に一端を連結するとともに、容器体Ａと該容器体外面に嵌着した外筒10との間に目視可能且つスライド可能に延設し、且つ、摺動底板３の上昇に伴い容器体外方に位置する部分が下降する表示板９を設けてなり、上記外筒10が、容器体Ａ下端部に嵌着した底キャップ16の外面に、底壁相互に所定の間隔をあけて嵌着した有底の外筒であり、上記表示板９が、底キャップ底壁20部分に一端を仮止めするとともに、底キャップ周壁19と外筒10との間に目視可能且つスライド可能に延設し、且つ、摺動底板３より突設した突起28を底キャップ底壁20の挿通窓21を介して嵌着してなる嵌合孔29を有する表示板であり、表示板９及び外筒10を予め装着した底キャップ16を容器体Ａに嵌着させた際に、突起28を嵌合孔29に嵌着して表示板９を摺動底板３に引上げ可能に固定してなる。
【０００６】
第２の手段として、以下の通り構成した。即ち、前記第１の手段に於いて、上記外筒10が透明な外筒10a である如く構成した。
【０００７】
第３の手段として、以下の通り構成した。即ち、前記第１の手段に於いて、上記外筒10が不透明な外筒10b であり、該不透明な外筒10b に表示板９の下降が認識可能な窓孔12を開口してなる如く構成した。
【０００９】
【発明の実施の形態】
以下、本発明の実施の形態を図面を参照して説明する。
【００１０】
図面に示す如く本発明の液体噴出容器１は、容器体Ａと、液体噴出ポンプＢとを備えている。
【００１１】
容器体Ａは合成樹脂等により形成されたもので、内容物保護のために紫外線等の光の透過を防止するための不透明な壁部を備え、また、周壁２内面に液密摺動が可能に周縁部を嵌合させた摺動底板３を備えたものが使用される。そして、ポンプＢにより収納液を汲み出した際の内部の負圧化により摺動底板３が上昇する如く構成したものが使用される。
【００１２】
液体噴出ポンプＢは、容器体Ａに嵌着して収納液を汲み出す如く構成した公知機構のものを使用する。図示例のポンプＢは、容器体の口頸部４外周に嵌合させた装着キャップ５により、下端のシリンダ６を容器体内上部に垂下させた状態で着脱可能に装着しており、上端より突出した押下ヘッド７の上下動により容器体内の液を吸い上げて噴出口８より噴出する如く構成した公知のポンプ機構を備えている。
【００１３】
本発明はこの種の液体噴出容器において、収納液の残量を知らせる表示板９を設けている。表示板は、摺動底板３に一端を連結するとともに、容器体Ａ及び該容器体外面に嵌合した外筒10との間に目視可能且つスライド可能に延設し、且つ、摺動底板３の上昇に伴い容器体外方に位置する部分が下降して残量を表示するものである。
【００１４】
外筒10は合成樹脂等により形成されたもので、容器体外周に嵌着固定した筒状をなし、図示例の如く、有底のものであっても、底壁のないものであってもよいが、容器体Ａ外周との間に表示板９をスライド可能に嵌合する表示板嵌合用の隙間11を設けて嵌着固定したものが採用される。また、表示板９を嵌合する隙間は、表示板が存在する部分のみに形成しても、それ以外の部分を含めて形成しても、或いは容器体周壁２外周に亘り形成したものであっても良く、適宜選択できる。
【００１５】
また、表示板９を目視可能にする手段としては、外筒10を透明な外筒10a とする場合と、不透明な外筒10b を使用する場合とがある。不透明な外筒10b を用いる場合には、表示板９の下降が認識できる如く窓孔を穿設する。この場合の不透明とは実質的に透明であっても、表面に装飾層等を施すことにより表示板が観察できない或いは観察し難い場合を含む。図１乃至図３及び図７，図８は透明な外筒10a の例を示し、図４乃至図６は不透明な外筒10b の例を示す。窓孔の形態は表示板の下降を認識することができれば種々の形態を採用でき、例えば、図４に示す如く、表示板設置該当位置に縦設した縦切溝状の窓孔12であっても、或いは図５に示す如く、不連続に縦設した複数の窓孔12であっても良い。
【００１６】
表示板９は合成樹脂フィルムや金属薄板等の湾曲が可能な帯状の薄板を所定の形状に形成したものが使用でき、摺動底板３の下面に、接着、融着、物理的嵌着或いはこれらの複合等の適宜固定手段により一端を固定し、容器体低部に於いて折り返して他端を容器体Ａと外筒10との間の隙間11に介在させている。表示板９の具体的形状は、摺動底板３の上昇に伴い容器体外方に位置する部分が下降するものであれば種々採用でき、例えば、図１に示す如く、細長矩形状をなす帯状部9bの先端に容器体を囲繞する環状部9bを延設した形態のものや、図６に示す如く、単なる全体を細長矩形状に形成したもの等種々の形態のものが採用できる。
【００１７】
これらの表示板９が下降しきった際の終点は必ずしも特定しなくても、液の注出が不能な状態と表示板９先端が下端部に下降したとの感覚で使用者には容易に理解できるものではあるが、終点を表示する手段を設けると、更に確実に収納液がなくなったことがわかり便利である。
【００１８】
終点を表示する終点表示手段としては種々採用でき、外筒10が透明な外筒10a の場合には外筒10a 或いは容器体Ａに印刷等により終点を示す目印を設けると良く、また、外筒10が不透明な外筒10b の場合には図４に示す如く、外筒10b 外面所定位置に目印14を設けると良い。また、図６に示す如く、不透明な外筒10b に終点用窓孔14a を穿設しておき、該窓孔14a に表示板９先端が侵入した時点で終点となる如く構成しても良い。
【００１９】
以下、図面の実施例を詳細に説明すると、図１に於いて、容器体Ａは下端を開口した筒状周壁２上端縁より肩部15を介して口頸部４を起立しており、その下端開口に底キャップ16を嵌着させている。容器体周壁２外周の上端部には第１下向き段部17a 及び第２下向き段部17b を形成して両者間に外筒10を嵌合させるための小径部18を形成し、第２下向き段部17b 下方を表示板嵌合用の隙間11用に凹ませている。
【００２０】
底キャップ16は、容器体周壁２外周下部に嵌合させた周壁19下端縁より底壁20を延設し、底壁20の所定位置に表示板９を挿通させるための挿通窓21を穿設している。また、摺動底板３は上下端を周壁２内面に嵌着させた環状摺動部22を底板部23外周縁より突設している。表示板９は、一端を摺動底板３下面中央部に固定し、挿通窓21を通して折り返して隙間11に嵌着させてた細長矩形板状をなす帯状部9aを有し、先端部に容器体Ａ外周に嵌合さた環状部9bを延設している。
【００２１】
外筒10は透明な外筒10a であり、上端部を容器体の小径部18外周に嵌着させ、その下方に環状の隙間11をあけ、更に下端縁より延設した底壁24を底キャップ底壁20と間隔をあけて装着している。また、底壁24には外気導入孔25を設けている。
【００２２】
そして、図１の状態から押下ヘッド７を押し下げて収納液を噴出口８より噴出すると容器体内の負圧化により摺動底板３がその分上昇し、それに伴い表示板９が引き上げられ、容器体外面に位置する部分が下降して液の減少を表示する。図２は収納液が半分程度減少した状態を示し、図３は収納液が略無くなった状態を示す。
【００２３】
図７は他の実施例を示し、本実施例の液体噴出容器１は、容器体Ａ下端部に嵌着した底キャップ16の外面に、底壁相互に所定の間隔をあけて嵌着した有底の透明な外筒10a を備えている。底キャップ16は、容器体周壁２の外周に所定丈の周壁19を嵌合させるとともに、周壁19下端縁より延設した底壁20の中央部に挿通窓21を穿設し、更に、底壁20下面中央部に支持腕26を介して仮止用突起27を突設している。また、外筒10は、底キャップ周壁に表示板嵌合用の隙間11をあけて嵌合させるとともに、下端縁より底キャップ底壁20と間隔をあけて底壁24を延設して構成しており、底壁24には外気導入孔25を設けている。
【００２４】
また、底キャップ底壁20に一端を仮止めするとともに、底キャップ周壁19と外筒10との間に目視可能且つスライド可能に延設し、且つ、摺動底板３より底キャップ底壁20の挿通窓21を介して突設した突起28を嵌着してなる嵌合孔29を有する表示板９を備えている。表示板９はその先端部に穿設した小孔を仮止用突起27に挿通して係止させており、また、他端を両底壁間の間隙を介して表示板嵌合用の隙間11に延設して嵌着させている。表示板嵌合用の隙間11は、底キャップ周壁19と外筒10との間に嵌合した表示板９の形状と略同じに構成している。
【００２５】
そして、表示板９及び外筒10を予め装着した底キャップ16を容器体Ａに嵌着させた際に、突起28を嵌合孔29に嵌着することにより表示板９を摺動底板３に引き上げ可能に固定している。突起28の先端は表示板９の嵌合孔29よりやや大径に膨出しており、その膨出部分を嵌合孔29に貫通嵌合することにより両者を固定している。この場合、突起28と嵌合孔29との嵌合強度が、仮止用突起27と小孔の嵌合強度より大きくなるよう調整し、摺動底板３の上昇の際には仮止めが外れて表示板９が上昇する如く構成している。その他の構成は実質的に図１の場合と同様であるので説明を省略する。
【００２６】
また、この場合も押下ヘッド７を押し下げて収納液を噴出口８より噴出すると容器体内の負圧化により摺動底板３がその分上昇し、それに伴い表示板９が引き上げられ、外面の表示板９が下降して液の減少を表示する。収納液が無くなった場合には、表示板９の先端が下端に至り、液が無くなったことを使用者に理解させる。
【００２７】
【発明の効果】
以上説明した如く第１の手段の液体噴出容器は、既述構成としたことにより、容器体が不透明であるにもかからわず、使用中常時収納液の量を知ることができ、また、収納液が無くなった際にも容易にその判断が可能となり、消費者に不安感や誤解を与えずに便利に使用することができるものである。また、表示板９及び外筒10を予めセットしておいた底キャップ16を嵌着させた際に、摺動底板３と表示板９とを連結したものであるため、組付け操作が極めて容易となる。
【００２８】
また、第２の手段の液体噴出容器は、外筒10が透明な外筒10a であるため、容器体外方に位置する部分の表示板９全体がはっきりと確認でき、使用中の液の残量をより明確に把握できるものである。
【００２９】
また、第３の手段の液体噴出容器は、外筒が不透明な外筒10b であり、その不透明な外筒10b に表示板９の下降が認識可能な窓孔12を開口したので、使用中の液の残量を明確に把握できるとともに、外筒外面に装飾を施すことができるため、容器体に装飾を施さなくても容器全体の装飾性を外筒の装飾により補える利点を兼ね備えている。
【図面の簡単な説明】
【図１】本発明の一実施形態を示す要部切欠側面図である。
【図２】同実施形態の摺動底板が上昇した状態の要部切欠側面図である。
【図３】同実施形態の摺動底板が更に上昇した状態の要部切欠側面図である。
【図４】本発明の他の実施形態を示す要部背面図である。
【図５】本発明の更に他の実施形態を示す要部背面図である。
【図６】本発明の更に他の実施形態を示す要部背面図である。
【図７】本発明の更に他の実施形態を示す要部切欠側面図である。
【図８】同実施形態の要部背面図である。
【符号の説明】
３…摺動底板，９…表示板，16…底キャップ，19…底キャップ周壁，
20…底キャップ底壁，21…挿通窓，29…突起，Ａ…容器体，Ｂ…ポンプ
【図１】
0004040267.tif 000002
【図２】
0004040267.tif 000003
【図３】
0004040267.tif 000004
【図４】
0004040267.tif 000005
【図５】
0004040267.tif 000006
【図６】
0004040267.tif 000007
【図７】
0004040267.tif 000008
【図８】
0004040267.tif 000009